(57)【要約】【課題】個人情報の流出や、不快な映像の表示を防止する。【解決手段】画像データ及び当該画像データのメタデータを受信する受信部（１１０）と、メタデータから、フィルタリング制御情報を取得する制御情報取得部（１２０）と、フィルタリング制御情報を参照して、画像データが示す画像の一部にフィルタリングを施すフィルタ部（１３０）とを備えている。【選択図】図１
2019110396.tif 000002
【特許請求の範囲】
【請求項１】
画像データ及び当該画像データのメタデータを受信する受信部と、
上記メタデータから、フィルタリング制御情報を取得する制御情報取得部と、
上記制御情報取得部が取得した上記フィルタリング制御情報を参照して、上記画像データが示す画像の一部にフィルタリングを施すフィルタ部と
を備えていることを特徴とする表示装置。
【請求項２】
上記フィルタ部は、上記画像データが示す画像の少なくとも一部の解像度を低下させる解像度低下処理を行うことで上記フィルタリングを施すことを特徴とする請求項１に記載の表示装置。
【請求項３】
上記フィルタリング制御情報には、フィルタリングを適用する表示部の解像度に関する条件が含まれていることを特徴とする請求項１又は２に記載の表示装置。
【請求項４】
上記フィルタ部は、上記画像データが示す画像の少なくとも一部の輝度を低下させる輝度低下処理を行うことで上記フィルタリングを施すことを特徴とする請求項１に記載の表示装置。
【請求項５】
上記フィルタ部は、上記画像データが示す画像の少なくとも一部の色彩度を低下させる色彩度低下処理を行うことで上記フィルタリングを施すことを特徴とする請求項１に記載の表示装置。
【請求項６】
上記フィルタ部は、フィルタリングを施す時間が指定された時間指定情報を参照して、上記画像データが示す画像の一部にフィルタリングを施すことを特徴とする請求項１から５の何れか１項に記載の表示装置。
【請求項７】
上記フィルタリング制御情報には、上記画像データが示す画像のうち、フィルタリングを施す領域に係る情報を示す領域情報が含まれており、
上記フィルタ部は、上記領域情報を参照して、上記画像データが示す画像の一部にフィルタリングを施す
ことを特徴とする請求項１から６の何れか１項に記載の表示装置。
【請求項８】
上記領域情報には、フィルタリングを施す領域の形状に関する条件が含まれていることを特徴とする請求項７に記載の表示装置。
【請求項９】
上記領域情報は、フィルタリングを施す領域毎に当該領域へのフィルタリングの強度レベルを示す強度情報を含み、
上記フィルタ部は、上記強度情報を参照して、各領域に応じた強度レベルによって上記画像データが示す画像の一部にフィルタリングを施す
ことを特徴とする請求項７または８に記載の表示装置。
【請求項１０】
上記フィルタ部は、ユーザの年齢情報に応じて上記強度レベルを設定することを特徴とする請求項９に記載の表示装置。
【請求項１１】
上記フィルタ部は、上記受信部が受信した画像データを録画する場合に、録画時フィルタリング制御情報を定義し、録画した画像データが示す画像の少なくとも一部にフィルタリングを施すことを特徴とする請求項１から１０の何れか１項に記載の表示装置。
【請求項１２】
画像データを表示する表示装置において、画像の一部にフィルタリングを施すために参照されるフィルタリング制御情報を含むメタデータを生成するメタデータ生成部と
画像データ及び上記メタデータを送出する送出部と
を備えていることを特徴とする送出装置。
【請求項１３】
請求項１〜１１の何れか１項に記載の表示装置を備えていることを特徴とする、テレビジョン受信機。
【請求項１４】
画像データ及び当該画像データのメタデータを受信する受信ステップと、
上記メタデータから、フィルタリング制御情報を取得する制御情報取得ステップと、
取得した上記フィルタリング制御情報を参照して、上記画像データが示す画像の一部にフィルタリングを施すフィルタリングステップと、
フィルタリングを施した上記画像を表示する表示ステップと、を含む
ことを特徴とする表示方法。
【発明の詳細な説明】
【技術分野】
【０００１】
本発明は、表示装置、送出装置、テレビジョン受信機、及び表示方法に関する。
【背景技術】
【０００２】
従来、ユーザ固有のフィルタパラメータを用いてメタ情報をフィルタリングし、メタ情報から抽出した抽出メタ情報をユーザに提供する送出装置が知られている。
【先行技術文献】
【特許文献】
【０００３】
【特許文献１】特開２０１７−１３９６４０号公報（２０１７年８月１０日公開）
【発明の概要】
【発明が解決しようとする課題】
【０００４】
近年、表示装置の高解像度化が進み、映像中に映っている車のナンバープレートや、通行人の容姿が精細に写し出されてしまうため、個人情報の流出につながる懸念があった。また、表示装置の高解像度化によって、例えば事故シーン等の刺激の強い映像がリアルに表示され、ユーザによっては不快に感じるという問題があった。
【０００５】
例えば、送出装置の側でメタ情報をフィルタリングすることで、個人情報の流出や、不快な映像の表示を防止することも考えられるが、送出装置の側の処理が大きくなるとともに、ユーザ毎に異なる設定に柔軟に対応することができないという問題がある。
【０００６】
本発明の一態様は、上述した事情に鑑みてなされたものであり、個人情報の流出や、不快な映像の表示を防止することができる技術を実現することを目的とする。
【課題を解決するための手段】
【０００７】
上記の課題を解決するために、本発明の一態様に係る表示装置は、画像データ及び当該画像データのメタデータを受信する受信部と、上記メタデータから、フィルタリング制御情報を取得する制御情報取得部と、上記制御情報取得部が取得した上記フィルタリング制御情報を参照して、上記画像データが示す画像の一部にフィルタリングを施すフィルタ部とを備えている構成である。
【０００８】
また、上記の課題を解決するために、本発明の一態様に係る送出装置は、画像データを表示する表示装置において、画像の一部にフィルタリングを施すために参照されるフィルタリング制御情報を含むメタデータを生成するメタデータ生成部と画像データ及び上記メタデータを送出する送出部とを備えている構成である。
【０００９】
また、上記の課題を解決するために、本発明の一態様に係る表示方法は、画像データ及び当該画像データのメタデータを受信する受信ステップと、上記メタデータから、フィルタリング制御情報を取得する制御情報取得ステップと、取得した上記フィルタリング制御情報を参照して、上記画像データが示す画像の一部にフィルタリングを施すフィルタリングステップと、フィルタリングを施した上記画像を表示する表示ステップと、を含む方法である。
【発明の効果】
【００１０】
本発明の一態様によれば、個人情報の流出や、不快な映像の表示を防止することができる。
【図面の簡単な説明】
【００１１】
【図１】本発明の実施形態１に係るテレビジョン受信機、及び送出装置の概略構成を示すブロック図である。
【図２】テレビジョン受信機の外観を示す正面図である。
【図３】フィルタリング制御情報に含まれる情報の一例を示す図である。
【図４】フィルタリング制御情報に含まれる情報の一例を示す図である。
【図５】（ａ）は、録画時フィルタリング制御情報を含むフィルタリング制御情報の一例を示す図であり、（ｂ）はユーザ設定情報に応じて変更された変更後フィルタリング制御情報の一例を示す図である。
【発明を実施するための形態】
【００１２】
以下、本発明の実施の形態について、詳細に説明する。
【００１３】
〔実施形態１〕
図１は、本発明の実施形態１に係るテレビジョン受信機１００、及び送出装置１８０の概略構成を示すブロック図である。図２は、テレビジョン受信機１００の外観を示す正面図である。
【００１４】
図１に示すように、テレビジョン受信機１００は、送出装置１８０から受信したデータストリーム（放送波）に応じた画像を表示する。
【００１５】
〔テレビジョン受信機１００の構成〕
図２に示すように、テレビジョン受信機１００は、送出装置１８０から受信したデータストリームに応じた画像を表示する表示部７を備えている。表示部７は、例えば、液晶ディスプレイ、有機ＥＬ（Electro Luminescence）ディスプレイ（ＯＬＥＤ）、プラズマディスプレイ、及びプロジェクター等である。
【００１６】
図１に示すように、テレビジョン受信機１００は、表示装置１０１、録画装置１５０、入力情報取得部１６０、及び操作部１６５を備えている。
【００１７】
表示装置１０１は、受信部１１０、制御情報取得部１２０、フィルタ部１３０、表示制御部１４０、及び表示部７を含んでいる。
【００１８】
受信部１１０は、送出装置１８０から送出されるＳＩ（Signaling Information）に含めて送られてくるコンテンツの画像データ及び当該画像データのメタデータを含むデータストリームを受信する。受信部１１０は、データストリームを受信するアンテナと、アンテナを介して受信したデータストリームを復調処理するチューナと、を含んでいる。また、受信部１１０は、受信したデータストリームを、画像データと、音声データと、メタデータとに分離（逆多重化）する。受信部１１０は、分離した画像データ及び音声データをそれぞれ復号化する。受信部１１０が受信する画像データでは、動画像データであってもよいし、静止画像データであってもよい。また、受信部１１０は、動画像データ、又は静止画像データのどちら一方を受信する構成であってもよい。
【００１９】
なお、メタデータは、ＳＩに含めて送られてくる他に、エレメンタリーストリーム（Elementary Stream）、または、アセットとして送られてくる画像データに含まれていてもよい。このように、メタデータが画像データに含めて送られてくる場合には、受信部１１０は、復号化を行うデコーダを備え、当該デコーダにより画像データからメタデータを分離する。
【００２０】
また、受信部１１０は、インターネット等の放送波とは別の伝送経路から伝送される情報を受信可能に構成されていてもよい。そして、受信部は、例えばインターネット等の放送波とは別の伝送経路によって伝送されたメタデータを取得することができてもよい。
【００２１】
制御情報取得部１２０は、受信部１１０によって取得されたメタデータから、当該メタデータに含まれる、詳細については後述する、フィルタリング制御情報を取得する。
【００２２】
フィルタ部１３０は、制御情報取得部１２０が取得したフィルタリング制御情報を参照して、画像データが示す画像の一部にフィルタリングを施す。図２に示すように、表示部７に表示された画像の一部には、フィルタ部１３０によってフィルタリングが施されたフィルタリング領域８が設けられている。
【００２３】
表示制御部１４０は、受信部１１０によって復号化された画像データと、フィルタ部１３０によって一部にフィルタリングが施された画像データが示す画像と、と合成し、静止画像、及び動画像を含む合成画像を生成する。表示制御部１４０は、生成した合成画像を、表示部７に出力し表示させる。
【００２４】
なお、図示は省略するが、テレビジョン受信機１００は、受信部１１０によって復号化された音声信号を合成し、出力する音声出力部をさらに備えている。
【００２５】
録画装置１５０は、受信部１１０が受信した画像データ、音声データ、及びメタデータを書き換え可能に一時的に記録する。録画装置１５０は、例えば、揮発性メモリを備える構成であってもよい。
【００２６】
操作部１６５は、テレビジョン受信機１００に設けられた操作ボタンであってもよいし、テレビジョン受信機１００と通信可能な不図示のリモートコントローラであってもよい。
【００２７】
〔送出装置１８０の構成〕
送出装置１８０は、送出部１８５と、メタデータ生成部１８６と、を含んでいる。
【００２８】
送出部１８５は、画像データ、音声データ、及びメタデータを含むデータストリームを送出する。
【００２９】
メタデータ生成部１８６は、画像データが示す画像を表示する表示装置１０１において、画像の一部にフィルタリングを施すために参照されるフィルタリング制御情報を含むメタデータを生成する。
【００３０】
送出部１８５は、フィルタリングを行う画像の画像データを送出するタイミングで、メタデータ生成部１８６によって生成されたフィルタリング制御情報を含むメタデータを送出する。
【００３１】
〔フィルタリング制御情報〕
フィルタリング制御情報は、画像データが示す画像の一部にフィルタリングを施すための情報であり、フィルタリングを施す領域に係る情報や、フィルタリングの処理の方法に係る情報を含んでいる。フィルタリング制御情報には、例えば、以下の情報が含まれていてもよい。
（フィルタリング制御情報の例１）
・フィルタリングを適用する表示部の解像度に関する条件を示す情報
・８Ｋ解像度以上
・４Ｋ解像度以上
（フィルタリング制御情報の例２）
・フィルタリングを施す領域に係る情報である領域情報
・領域の形状に関する条件
・領域のＸ、Ｙ座標位置
（フィルタリング制御情報の例３）
・フィルタリングの処理に関する情報
・解像度低下処理
・輝度低下処理
・色彩度低下処理
（フィルタリング制御情報の例４）
・フィルタリングの強度レベルに関する情報
・放送強度レベル
・録画強度レベル
・ユーザ年齢に応じた強度レベル
（フィルタリング制御情報の例５）
・フィルタリングを施す時間に関する情報
・フィルタリング有効時間
・フィルタリング開始時間
・フィルタリング終了時間
〔フィルタ部１３０による処理〕
（解像度に関する条件を示す情報を取得した場合の処理）
フィルタリング制御情報の例１として上述した、フィルタリングを適用する表示部の解像度に関する条件を示す情報を取得した場合には、フィルタ部１３０は、表示部７の解像度が、フィルタリング制御情報に含まれる解像度に関する条件を満たす場合に、画像データが示す画像の少なくとも一部にフィルタリングを施す。
【００３２】
一例として、上記情報が「８Ｋ解像度以上」を示している場合、フィルタ部１３０は、表示部７の解像度が８Ｋ解像度以上の場合に、対象画像にフィルタ処理を適用し、そうでない場合には、対象画像にフィルタ処理を適用しない。
【００３３】
（フィルタリングの処理に関する情報を取得した場合の処理）
フィルタリング制御情報の例３として上述した、フィルタリングの処理に関する情報を取得した場合には、フィルタ部１３０は、フィルタリング制御情報で指定されたフィルタ処理を適用して、画像データが示す画像の少なくとも一部にフィルタリングを施す。
【００３４】
例えば、上記情報が「解像度低下処理」を示している場合、フィルタ部１３０は、対象画像の少なくとも一部の解像度を低下させる処理を行うことで、フィルタリングを施す。
【００３５】
また、上記情報が、「輝度低下処理」を示している場合、フィルタ部１３０は、対象画像の少なくとも一部の輝度を低下させる処理を行うことで、フィルタリングを施す。
【００３６】
また、上記情報が、「色彩度低下処理」を示している場合、フィルタ部１３０は、対象画像の少なくとも一部の色彩度を低下させる処理を行うことで、フィルタリングを施す。
【００３７】
（領域情報を取得した場合の処理）
フィルタリング制御情報の例２として上述した、フィルタリングを施す領域に係る情報である領域情報を取得した場合には、フィルタ部１３０は、領域情報を参照して、画像データが示す画像の一部にフィルタリングを施す。
【００３８】
画像データが示す画像において、フィルタリングを施す領域には、例えば、個人情報保護目的でフィルタリングを施す領域、及び刺激抑制目的でフィルタリングを施す領域の少なくとも何れかが含まれる。これに対応して、フィルタリング制御情報には、フィルタリングを施す領域に係る情報を示す上述の領域情報が含まれていてもよい。
【００３９】
領域情報には、例えば、フィルタリングを施す領域の形状に関する条件であり、領域の形（矩形領域、多角形領域、丸形等）や、領域の大きさの情報が含まれていてもよい。また、領域情報には、フィルタリングを施す領域の、表示領域におけるＸ、Ｙ座標位置が含まれていてもよい。
【００４０】
また、一画像中に複数のフィルタリングを施す領域が含まれていてもよく、フィルタリング制御情報には、各領域を特定するための情報が含まれていてもよい。
【００４１】
このように、フィルタリング制御情報に、領域情報を含むことで、フィルタ部１３０は、画像データが示す画像の中に映っている車のナンバーや通行人の姿、事故シーン等の刺激の強い画像の領域にフィルタリングを施すことができる。また、１画面中に複数のフィルタリングを施す領域が含まれていてもよく、フィルタリング制御情報には、フィルタリングを施す領域のそれぞれを示す領域情報が含まれていてもよい。
【００４２】
この構成によれば、画像データが示す画像における、個人情報の流出が懸念される部分や、視聴者が不快と感じる部分にフィルタリングを施すことができ、個人情報の流出や、不快な映像の表示を防止することができる。
【００４３】
（強度レベルに関する情報を取得した場合の処理）
図３は、フィルタリング制御情報に含まれる情報の一例を示す図である。図３に示すように、フィルタリング制御情報の例４として上述したフィルタリングの強度レベルに関する情報を取得した場合には、フィルタ部１３０は、強度レベルに対応するフィルタリング処理の方法で、画像の少なくとも一部にフィルタリングを施す。各強度レベルには、所定のフィルタリング処理の方法が予め対応付けられていてもよい。
【００４４】
例えば、フィルタリング制御情報には、レベル１（ＬＶ１）というフィルタリングの強度レベルに関する情報を含まれている。このようなフィルタリング制御情報を取得すると、フィルタ部１３０は、画像データが示す画像の少なくとも一部の領域にフィルタ処理を施すことにより、当該領域の解像度を４Ｋに低下させて、表示部７に表示する。
【００４５】
また、フィルタ部１３０は、レベル２（ＬＶ２）というフィルタリングの強度レベルに関する情報が含まれているフィルタリング制御情報を取得した場合には、画像データが示す画像の少なくとも一部の領域にフィルタ処理を施すことにより、当該領域の解像度を２Ｋに低下させて、表示部７に表示する。
【００４６】
また、フィルタ部１３０は、レベル３（ＬＶ３）というフィルタリングの強度レベルに関する情報が含まれているフィルタリング制御情報を取得した場合には、画像データが示す画像の少なくとも一部にモザイク処理を施して、表示部７に表示する。
【００４７】
また、フィルタ部１３０は、レベル４（ＬＶ４）というフィルタリングの強度レベルに関する情報が含まれているフィルタリング制御情報を取得した場合には、画像データが示す画像の少なくとも一部を、例えば黒塗する処理を施してマスクをし、表示部７に表示する。
【００４８】
このように、フィルタ部１３０は、フィルタリング制御情報に含まれる、フィルタリングの強度レベルに関する情報である強度情報を参照して、画像データが示す画像の少なくとも一部にフィルタリングを施す。
【００４９】
フィルタリングの強度レベルを示す強度情報は、フィルタリングを施す領域毎の領域情報に含まれていてもよく、フィルタ部１３０は、領域毎の強度情報を参照して、各領域に応じた強度レベルによって画像データが示す画像にフィルタリングを施してもよい。これによって、フィルタ部１３０は、領域毎に、強度レベルに応じて、見えなくする、解像度を落とす、マスクする等のフィルタリングを施すことができる。
【００５０】
これらの構成によれば、一画像の中にフィルタリングを施す領域が複数存在する場合であっても、領域毎に、強度レベルの異なるフィルタリングを施すことができる。よって、例えば、８Ｋ解像度を、４Ｋ解像度に下げるだけで十分に個人情報の流出や、不快な映像の表示を防げることができる画像の領域部分を、モザイクやマスク等で隠してしまうことがなく、ユーザにとって好適な画像を提供することができる。
【００５１】
また、フィルタリングの強度レベルは、ユーザの年齢情報に応じて設定されていてもよい。図４は、フィルタリング制御情報に含まれる情報の一例を示す図である。図４に示すように、フィルタリングの強度レベルを示すユーザの年齢情報を取得した場合には、フィルタ部１３０は、ユーザの年齢に応じたフィルタリング処理の方法で、画像の少なくとも一部にフィルタリングを施す。
【００５２】
一例として、上記情報が「１８歳以下」を示している場合、フィルタ部１３０は、ユーザの年齢が１８歳以下の場合に、対象画像にフィルタ処理を適用し、そうでない場合には、対象画像にフィルタ処理を適用しない。
【００５３】
例えば、テレビジョン受信機１００の設定の一つとして、ユーザは、操作部１６５を介して一人、又は複数人のユーザ（例えば家族それぞれ）の年齢を登録することができる。フィルタ部１３０は、予め登録されたユーザの年齢と、フィルタリング制御情報に含まれる年齢情報と、を参照して、ユーザの年齢情報に応じた強度レベルのフィルタリングを施してもよい。例えば、予め登録されたユーザの年齢が１９歳〜６４歳の間である場合には、フィルタ部１３０は、画像データが示す画像の少なくとも一部の解像度を４Ｋに低下させて、表示部７に表示する。また、予め登録されたユーザの年齢が６５歳以上である場合には、フィルタ部１３０は、画像データが示す画像の少なくとも一部の解像度を２Ｋに低下させて、表示部７に表示する。また、予め登録されたユーザの年齢が１４歳〜１８歳である場合には、フィルタ部１３０は、画像データが示す画像の少なくとも一部にモザイク処理を施して、表示部７に表示する。また、予め登録されたユーザの年齢が１３歳以下である場合には、フィルタ部１３０は、画像データが示す画像の少なくとも一部を、例えば黒塗する処理を施してマスクをし、表示部７に表示する。
【００５４】
このように、フィルタ部１３０は、ユーザの年齢情報に応じてフィルタリングの強度レベルを設定することができる。
【００５５】
これらの構成によれば、ユーザが子供である場合には、刺激の強いシーンをリアルに表示しないようにフィルタリングを施し、ユーザが大人である場合には、刺激の強いシーンもリアルに表示するということができる。よって、ユーザの年齢に応じて適宜にフィルタリングを施すことができ、ユーザにとって使い勝手の良い表示装置１０１を提供することができる。
【００５６】
（解像度に関する条件を示す情報を取得した場合の処理）
フィルタリング制御情報の例５として上述した、フィルタリングを施す時間に関する情報を取得した場合には、フィルタ部１３０は、現在時刻が上記情報が示す時間の条件を満たす場合に、画像データが示す画像の少なくとも一部にフィルタリングを施す。
【００５７】
一例として、上記情報が「２２時以降翌朝５時まで」を示している場合、フィルタ部１３０は、現在時刻が２２時以降で朝５時よりも前である場合に、対象画像にフィルタ処理を適用し、そうでない場合には、対象画像にフィルタ処理を適用しない。
【００５８】
また、上記情報は、例えば「５秒間」といったフィルタリングを施す有効時間であってもよく、この場合、フィルタ部１３０は、対象画像に適用したフィルタ処理を５秒間に亘って継続して適用し、５秒間が経過した後に、フィルタ処理の適用を終了する。
【００５９】
また、上記情報は、例えば「１９時２７分３０秒開始」といったフィルタリング開始時間と、「１９時２８分１５秒終了」といったフィルタリング終了時間とであってもよい。この場合、フィルタ部１３０は、対象画像に対するフィルタ処理の適用を１９時２７分３０秒に開始し、当該フィルタ処理の適用を１９時２８分１５秒に終了する。このように、フィルタリング制御情報が、フィルタ処理の適用を開始する時間と、終了する時間とを指定する情報を含む構成とすることで、リアルタイムな映像に対しても、適切にフィルタ処理を適用することができる。
【００６０】
これらの構成によれば、フィルタリングを施す時間が長すぎて、画像が見えにくくなったり、フィルタリングを施す時間が短すぎて、個人情報が流出したり、不快な映像が表示されてしまったりすることがない。
【００６１】
また、時間指定情報は、ユーザが操作部１６５を介して設定することができる、テレビジョン受信機１００の設定の一つであってもよい。ユーザは、時間指定情報を、フィルタリングの強度レベルに対応付けて登録することができてもよい。例えば、ユーザは、夜１０時から翌朝６時までの間は、フィルタリング制御情報にフィルタリング強度レベル３以上の画像が含まれる場合に、当該画像にモザイク処理を行うフィルタリング処理をする設定をすることができてもよい。
【００６２】
これらの構成によれば、例えば、子供も視聴している可能性のある時間帯では強度レベルが高いフィルタリングを施して、刺激の強いシーンがリアルに表示されないようにすることができる。そして、大人しか視聴していないような時間帯では、刺激の強いシーンであっても強度レベルの低いフィルタリングを施すことで、ユーザにリアルな画像を提供することができる。
【００６３】
〔実施形態２〕
本発明の実施形態２について、以下に説明する。なお、説明の便宜上、上記実施形態１にて説明した部材と同じ機能を有する部材については、同じ符号を付記し、その説明を繰り返さない。また、実施形態２のテレビジョン受信機１００、及び送出装置１８０の構成は、実施形態１で図１、図２を用いて説明したテレビジョン受信機１００、及び送出装置１８０の構成と同一のため、その説明を省略する。
【００６４】
実施形態２のテレビジョン受信機１００は、受信部１１０が受信したデータストリームに応じた画像を、放送時間に表示部７に表示するときと、録画装置１５０に録画するときとで、異なるフィルタリングを施すことができる。
【００６５】
フィルタリング制御情報の例４として上述したフィルタリングの強度レベルに関する情報は、放送時に表示するときに画像に施すフィルタリングの強度レベルと、録画するときに画像に施すフィルタリングの強度レベルと、を含んでいてもよい。表示するときの強度レベルと、録画するときの強度レベルとを含む情報を取得した場合、フィルタ部１３０は、受信部１１０が受信した画像データを録画装置１５０に録画するときと、表示部７に表示するときとで、画像に施すフィルタリングの強度レベルや、処理方法をそれぞれ定義する。
図５（ａ）は、録画時フィルタリング制御情報を含むフィルタリング制御情報の一例を示す図である。
【００６６】
図５（ａ）に示すように、フィルタリング制御情報には、画像データを録画装置１５０に録画するときに用いる録画時フィルタリング制御情報と、放送時に表示部７に表示するときに用いる放送時フィルタリング制御情報とが含まれていてもよい。
【００６７】
録画時フィルタリング制御情報、及び放送時フィルタリング制御情報には、それぞれ、フィルタリングの強度レベルに関する情報が含まれており、フィルタ部１３０は、強度レベルに応じて、録画した画像と、表示する画像とにフィルタリングをそれぞれ施す方法を定義してもよい。
【００６８】
受信部１１０が受信したデータストリームに応じた画像を、録画装置１５０に録画する場合、フィルタ部１３０は、録画時フィルタリング制御情報を参照して、録画した画像の少なくとも一部にフィルタリングを施す。フィルタ部１３０は、録画装置１５０に画像を録画するときに、録画時フィルタリング制御情報を参照して画像にフィルタリングを施し、フィルタリングを施した画像を録画する構成であってもよい。また、フィルタ部１３０は、録画装置１５０に録画された画像を再生して表示部７に表示するときに、録画時フィルタリング制御情報を参照して画像にフィルタリングを施してもよい。
【００６９】
この構成によれば、録画像のように繰り返し視聴が可能な画像に対して、例えば解像度を低下させるフィルタリング処理を施すことで、ユーザが表示された車のナンバーや通行人の姿を、画像を停止させたり、何度も再生させたりして確認するのを防止することができ、個人情報の流出を防止することができる。
【００７０】
〔実施形態３〕
本発明の実施形態３について、以下に説明する。なお、説明の便宜上、上記実施形態１にて説明した部材と同じ機能を有する部材については、同じ符号を付記し、その説明を繰り返さない。また、実施形態３のテレビジョン受信機１００、及び送出装置１８０の構成は、実施形態１で図１、図２を用いて説明したテレビジョン受信機１００、及び送出装置１８０の構成と同一のため、その説明を省略する。
【００７１】
実施形態３のテレビジョン受信機１００では、フィルタリング制御情報に含まれる強度レベルに応じたフィルタリング処理の方法をユーザが設定することができる。図５（ｂ）は、図５（ａ）に示したフィルタリング制御情報を、ユーザ設定に応じて変更した変更後フィルタリング制御情報の一例を示す図である。図５（ａ），（ｂ）に示すように、フィルタ部１３０は、フィルタリング制御情報に含まれる強度レベルに応じたフィルタリング処理の方法を、画像を録画する時と、表示する時とでそれぞれ異なる設定に変更することができる。
【００７２】
フィルタ部１３０は、入力情報取得部１６０によって取得されたユーザの操作部１６５に対する操作に応じて、制御情報取得部１２０が取得したフィルタリング制御情報を変更する。フィルタ部１３０は、ユーザの操作部１６５に対する操作に応じたフィルタリングのユーザ設定情報を記憶している構成であってもよく、ユーザ設定情報に応じて、制御情報取得部１２０が取得したフィルタリング制御情報を変更する構成であってもよい。
【００７３】
フィルタ部１３０には、例えば、番組毎、番組のジャンル毎、番組の放送時間帯毎等の様々なカテゴリーで異なるフィルタリングのユーザ設定情報が記憶されていてもよい。
【００７４】
また、フィルタ部１３０は、フィルタリングを施す領域が個人情報保護目的の領域である場合には、フィルタリング制御情報の強度レベルに応じたフィルタリング処理の方法を、制御情報取得部１２０が取得した情報から変更せずに固定としてもよい。つまり、フィルタ部１３０は、フィルタリングを施す領域が個人情報保護目的の領域である場合には、フィルタリング制御情報を変更することができない構成としてもよい。
【００７５】
一方で、フィルタ部１３０は、フィルタリングを施す領域が刺激抑制目的の領域である場合には、ユーザ設定情報を参照して、フィルタリング制御情報の強度レベルに応じたフィルタリング処理の方法を変更する構成としてもよい。
【００７６】
フィルタリングを施す領域が刺激抑制目的の領域である場合には、図５（ｂ）に示すように、フィルタ部１３０は、ユーザ設定情報に基づいて、フィルタリングを施さない処理を行うこともできる。
【００７７】
これらの構成によれば、フィルタリングを施す領域が刺激抑制目的の領域に対しては、フィルタリングをする箇所毎に、見えなくする、解像度を落とす、録画時はマスクする等の条件をユーザ設定することができる。よって、フィルタ部１３０は、ユーザ毎の嗜好に合わせた強度のフィルタリングを画像に施すことができ、ユーザの使い勝手が向上する。
【００７８】
〔ソフトウェアによる実現例〕
表示装置１０１の制御ブロック（特に制御情報取得部１２０、フィルタ部１３０、及び表示制御部１４０）は、集積回路（ＩＣチップ）等に形成された論理回路（ハードウェア）によって実現してもよいし、ソフトウェアによって実現してもよい。
【００７９】
後者の場合、表示装置１０１は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００８０】
〔まとめ〕
本発明の態様１に係る表示装置（１０１）は、画像データ及び当該画像データのメタデータを受信する受信部（１１０）と、上記メタデータから、フィルタリング制御情報を取得する制御情報取得部（１２０）と、上記制御情報取得部（１２０）が取得した上記フィルタリング制御情報を参照して、上記画像データが示す画像の一部にフィルタリングを施すフィルタ部（１３０）とを備えている構成である。
【００８１】
上記の構成によれば、個人情報の流出や、不快な映像の表示を防止することができる。
【００８２】
本発明の態様２に係る表示装置（１０１）は、上記の態様１において、上記フィルタ部（１３０）は、上記画像データが示す画像の少なくとも一部の解像度を低下させる解像度低下処理を行うことで上記フィルタリングを施す構成としてもよい。
【００８３】
上記の構成によれば、個人情報の流出が懸念される画像部分や、視聴者が不快と感じる画像部分の解像度を低下させることで、個人情報の流出や、不快な映像の表示を防止することができる。
【００８４】
本発明の態様３に係る表示装置（１０１）は、上記の態様１又は２において、上記フィルタリング制御情報には、フィルタリングを適用する表示部（７）の解像度に関する条件が含まれている構成としてもよい。
【００８５】
上記の構成によれば、表示部の解像度が高い場合に、個人情報の流出が懸念される画像部分や、視聴者が不快と感じる画像部分の解像度を低下させることができる。
【００８６】
本発明の態様４に係る表示装置（１０１）は、上記の態様１において、上記フィルタ部（１３０）は、上記画像データが示す画像の少なくとも一部の輝度を低下させる輝度低下処理を行うことで上記フィルタリングを施す構成としてもよい。
【００８７】
上記の構成によれば、個人情報の流出が懸念される画像部分や、視聴者が不快と感じる画像部分の輝度を低下させることで、個人情報の流出や、不快な映像の表示を防止することができる。
【００８８】
本発明の態様５に係る表示装置（１０１）は、上記の態様１において、上記フィルタ部（１３０）は、上記画像データが示す画像の少なくとも一部の色彩度を低下させる色彩度低下処理を行うことで上記フィルタリングを施す構成としてもよい。
【００８９】
上記の構成によれば、個人情報の流出が懸念される画像部分や、視聴者が不快と感じる画像部分の色彩度を低下させることで、個人情報の流出や、不快な映像の表示を防止することができる。
【００９０】
本発明の態様６に係る表示装置（１０１）は、上記の態様１から５において、上記フィルタ部（１３０）は、フィルタリングを施す時間が指定された時間指定情報を参照して、上記画像データが示す画像の一部にフィルタリングを施す構成としてもよい。
【００９１】
上記の構成によれば、適宜の有効時間にわたって、個人情報の流出が懸念される画像部分や、視聴者が不快と感じる画像部分にフィルタリングを施すことができ、個人情報の流出や、不快な映像の表示を防止することができる。
【００９２】
本発明の態様７に係る表示装置（１０１）は、上記の態様１から６において、上記フィルタリング制御情報には、上記画像データが示す画像のうち、フィルタリングを施す領域に係る情報を示す領域情報が含まれており、上記フィルタ部（１３０）は、上記領域情報を参照して、上記画像データが示す画像の一部にフィルタリングを施す構成としてもよい。
【００９３】
上記の構成によれば、表示画面全体ではなく、個人情報の流出が懸念される画像部分や、視聴者が不快と感じる画像部分にのみフィルタリング処理を施すことができる。
【００９４】
本発明の態様８に係る表示装置（１０１）は、上記の態様７において、上記領域情報には、フィルタリングを施す領域の形状に関する条件が含まれている構成としてもよい。
【００９５】
上記の構成によれば、個人情報の流出が懸念される画像部分や、視聴者が不快と感じる画像部分を形状で特定して、当該領域部分にフィルタリングを施すことで、個人情報の流出や、不快な映像の表示を防止することができる。
【００９６】
本発明の態様９に係る表示装置（１０１）は、上記の態様７または８において、上記領域情報は、フィルタリングを施す領域毎に当該領域へのフィルタリングの強度レベルを示す強度情報を含み、上記フィルタ部（１３０）は、上記強度情報を参照して、各領域に応じた強度レベルによって上記画像データが示す画像の一部にフィルタリングを施す構成としてもよい。
【００９７】
上記の構成によれば、画像中にフィルタリングを施す領域が複数存在する場合に、領域毎に、強度レベルの異なるフィルタリングを施すことができる。
【００９８】
本発明の態様１０に係る表示装置（１０１）は、上記の態様９において、上記フィルタ部（１３０）は、ユーザの年齢情報に応じて上記強度レベルを設定する構成としてもよい。
【００９９】
上記の構成によれば、年齢に応じた強度レベルのフィルタリングを施すことができる。
【０１００】
本発明の態様１１に係る表示装置（１０１）は、上記の態様１から１０の何れか一項において、上記フィルタ部（１３０）は、上記受信部（１１０）が受信した画像データを録画する場合に、録画時フィルタリング制御情報を定義し、録画した画像データが示す画像の少なくとも一部にフィルタリングを施す構成としてもよい。
【０１０１】
上記の構成によれば、録画時には、放送時とは異なるフィルタリングを施すことができ、個人情報の流出や、不快な映像の表示を防止することができる。
【０１０２】
本発明の各態様に係る表示装置は、コンピュータによって実現してもよく、この場合には、コンピュータを上記表示装置が備える各部（ソフトウェア要素）として動作させることにより上記表示装置をコンピュータにて実現させる表示装置の制御プログラム、およびそれを記録したコンピュータ読み取り可能な記録媒体も、本発明の範疇に入る。
【０１０３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１０４】
７  表示部
８  フィルタリング領域
１００  テレビジョン受信機
１０１  表示装置
１１０  受信部
１２０  制御情報取得部
１３０  フィルタ部
１４０  表示制御部
１５０  録画装置
１６０  入力情報取得部
１６５  操作部
１８０  送出装置
１８５  送出部
１８６  メタデータ生成部
【図１】
2019110396.tif 000003
【図２】
2019110396.tif 000004
【図３】
2019110396.tif 000005
【図４】
2019110396.tif 000006
【図５】
2019110396.tif 000007